(57)【要約】      （修正有）【課題】レンズ全長が短くレンズ有効径が小さく、全ズーム範囲及び物体距離全般にわたり高い光学性能が容易に得られるズームレンズを提供する。【解決手段】物体側から像側へ順に配置された、正の屈折力の第１レンズ群Ｌ１、負の屈折力の第２レンズ群Ｌ２、負の屈折力の第３レンズ群Ｌ３、１つ以上のレンズ群を含む後群ＬＲより構成され、ズーミングに際して隣り合うレンズ群の間隔が変化するズームレンズであって、広角端に比べて望遠端において、第２レンズ群Ｌ２と第３レンズ群Ｌ３の間隔が増大し、フォーカシングに際して第３レンズ群Ｌ３が移動し、第２レンズ群の焦点距離ｆ２、第３レンズ群の焦点距離ｆ３、広角端における全系の焦点距離ｆｗ、広角端におけるバックフォーカスｓｋｗを各々適切に設定する。【選択図】図１
2019049645.tif 000002
【特許請求の範囲】
【請求項１】
物体側から像側へ順に配置された、正の屈折力の第１レンズ群、負の屈折力の第２レンズ群、負の屈折力の第３レンズ群、１つ以上のレンズ群を含む後群より構成され、ズーミングに際して隣り合うレンズ群の間隔が変化するズームレンズであって、
広角端に比べて望遠端において、前記第２レンズ群と前記第３レンズ群の間隔が増大し、
フォーカシングに際して前記第３レンズ群が移動し、
前記第２レンズ群の焦点距離をｆ２、前記第３レンズ群の焦点距離をｆ３、広角端における全系の焦点距離をｆｗ、広角端におけるバックフォーカスをｓｋｗとするとき、
−７．０＜ｆ３／ｆｗ＜−１．８
０．３６＜ｓｋｗ／ｆｗ＜１．０
１．２＜ｆ３／ｆ２＜５．０
なる条件式を満足することを特徴とするズームレンズ。
【請求項２】
前記ズームレンズは、
−５．０＜ｆ２／ｆｗ＜−１．１
なる条件式を満足することを特徴とする請求項１に記載のズームレンズ。
【請求項３】
前記第１レンズ群の焦点距離をｆ１とするとき、
２．０＜ｆ１／ｆｗ＜７．０
なる条件式を満足することを特徴とする請求項１または２に記載のズームレンズ。
【請求項４】
広角端における前記後群の合成焦点距離をｆｒｗとするとき、
１．１＜ｆｒｗ／ｆｗ＜４．０
なる条件式を満足することを特徴とする請求項１乃至３のいずれか１項に記載のズームレンズ。
【請求項５】
望遠端における前記第２レンズ群と前記第３レンズ群のレンズ群間隔をＬ２３ｔ、広角端における前記第２レンズ群と前記第３レンズ群のレンズ群間隔をＬ２３ｗとするとき、
１．０５＜Ｌ２３ｔ／Ｌ２３ｗ＜５．００
なる条件式を満足することを特徴とする請求項１乃至４のいずれか１項に記載のズームレンズ。
【請求項６】
広角端における前記第３レンズ群の横倍率をβ３ｗとするとき、
０．２＜β３ｗ＜０．８
なる条件式を満足することを特徴とする請求項１乃至５のいずれか１項に記載のズームレンズ。
【請求項７】
望遠端における前記第３レンズ群の横倍率をβ３ｔ、望遠端における前記後群の合成横倍率をβｒｔとするとき、
２．０＜（１−β３ｔ２）βｒｔ２＜５．０
なる条件式を満足することを特徴とする請求項１乃至６のいずれか１項に記載のズームレンズ。
【請求項８】
広角端における、像面から射出瞳までの距離をＰＯｗとするとき、
−３．０＜ＰＯｗ／ｆｗ＜−１．２
なる条件式を満足することを特徴とする請求項１乃至７のいずれか１項に記載のズームレンズ。
【請求項９】
広角端から望遠端へのズーミングにおける前記第１レンズ群の移動量をｍ１とするとき、
−６．０＜ｍ１／ｆｗ＜−１．０
なる条件式を満足することを特徴とする請求項１乃至８のいずれか１項に記載のズームレンズ。
【請求項１０】
前記第３レンズ群は２枚以下のレンズから構成されることを特徴とする、請求項１乃至９のいずれか１項に記載のズームレンズ。
【請求項１１】
前記後群は物体側から像側へ順に配置された、正の屈折力の第４レンズ群、正の屈折力の第５レンズ群から構成されることを特徴とする請求項１乃至１０のいずれか１項に記載のズームレンズ。
【請求項１２】
前記後群は物体側から像側へ順に配置された、正の屈折力の第４レンズ群、負の屈折力の第５レンズ群、正の屈折力の第６レンズ群、負の屈折力の第７レンズ群から構成されることを特徴とする請求項１乃至１０のいずれか１項に記載のズームレンズ。
【請求項１３】
前記後群は物体側から像側へ順に配置された、正の屈折力の第４レンズ群、正の屈折力の第５レンズ群、負の屈折力の第６レンズ群から構成されることを特徴とする請求項１乃至１０のいずれか１項に記載のズームレンズ。
【請求項１４】
請求項１乃至１３のいずれか１項に記載のズームレンズと、該ズームレンズによって形成される像を受光する撮像素子とを備えることを特徴とする撮像装置。
【発明の詳細な説明】
【技術分野】
【０００１】
本発明はズームレンズに関し、例えばデジタルスチルカメラ、ビデオカメラ、監視カメラ、放送用カメラ等の撮像装置に用いる撮像光学系として好適なものである。
【背景技術】
【０００２】
近年、撮像素子を用いた撮像装置は高機能化され、かつ装置全体が小型化されている。これらの撮像装置に用いられる撮像光学系には、明るいＦナンバーを有し、レンズ全長が短く、かつレンズ鏡筒径が小さく、ズーム全域で高解像力を有するズームレンズであることが望まれている。更に近年では、フォーカシング速度が速いことや、フォーカシングに際して光学性能の変動が少なく、かつ像倍率の変化が少ないこと等が求められている。
【０００３】
近年、レンズ全長の短縮化と鏡筒径を小型化するために、バックフォーカスを短く設定し、レンズ最終面から像面までの間にメカニカルな部材を除いた、所謂ミラーレスタイプの撮像光学系が提案されている。レンズ全長が短く、且つ、大口径化が容易なズームレンズとして、最も物体側に、正の屈折力のレンズ群を配置したポジティブリード型のズームレンズが知られている（特許文献１）。
【０００４】
特許文献１では、物体側より像側へ順に、正、負、正、負、正、負の屈折力の第１レンズ群乃至第６レンズ群より構成され、ズーミングに際して隣り合うレンズ群の間隔が変化し、フォーカシングに際して、第４レンズ群が移動するズームレンズを開示している。ポジティブリード型のズームレンズにおいて、フォーカシングを開口絞りより物体側の負の屈折力のレンズ群で行う所謂インナーフォーカス型のズームレンズが知られている（特許文献２）。
【０００５】
特許文献２では物体側より像側へ順に、正、負、正、負、正の屈折力の第１レンズ群乃至第５レンズ群より構成され、ズーミングに際して隣り合うレンズ群の間隔が変化し、フォーカシングに際して第３レンズ群が移動するズームレンズを開示している。
【先行技術文献】
【特許文献】
【０００６】
【特許文献１】特開２０１６−１９７２５７号公報
【特許文献２】特開２０１２−１９４２８８号公報
【発明の概要】
【発明が解決しようとする課題】
【０００７】
撮像装置に用いるズームレンズには、所定のズーム比を有し、レンズ系全体が小型であること、フォーカスレンズ群が小型軽量でフォーカシングに際して収差変動が少ないこと等が強く要望されている。
【０００８】
ポジティブリード型のズームレンズにおいて、レンズ全長の短縮化とレンズ鏡筒径を小型化し、高いフォーカス性能を得るためには、各レンズ群の屈折力を高め、フォーカスレンズ群を適切に設定する必要がある。特に、フォーカスレンズ群はメカ構造含めると鏡筒径に大きく影響する。このためフォーカスレンズ群のレンズ径やフォーカシングによるレンズ群の移動量を小さくすることが重要となる。
【０００９】
とりわけ、大口径比のズームレンズではフォーカスレンズ群の光軸方向の配置設定は外径や質量を決める重要な要素となる。更に、近年の動画撮影に対するニーズの高まりに伴い、フォーカシングによる撮像画界の変動、所謂像倍率の変動が少なくするようなフォーカスレンズ群の設定が重要となっている。フォーカスレンズ群の選定が不適切であると、フォーカシングに際して収差変動が大きくなり、遠距離から近距離までの物体距離全般にわたり良好な光学性能を得ることが難しくなる。
【００１０】
所定のズーム比を有し、フォーカシングに際しての収差変動が少なく、全ズーム範囲にわたり高い光学性能を有する小型のズームレンズを得るには、レンズ群の数や各レンズ群の屈折力等を適切に設定することが重要になってくる。
【００１１】
本発明は、レンズ全長が短くレンズ有効径が小さく、全ズーム範囲及び物体距離全般にわたり高い光学性能が容易に得られるズームレンズの提供を目的とする。
【課題を解決するための手段】
【００１２】
本発明のズームレンズは、物体側から像側へ順に配置された、正の屈折力の第１レンズ群、負の屈折力の第２レンズ群、負の屈折力の第３レンズ群、１つ以上のレンズ群を含む後群より構成され、ズーミングに際して隣り合うレンズ群の間隔が変化するズームレンズであって、広角端に比べて望遠端において、前記第２レンズ群と前記第３レンズ群の間隔が増大し、フォーカシングに際して前記第３レンズ群が移動し、前記第２レンズ群の焦点距離をｆ２、前記第３レンズ群の焦点距離をｆ３、広角端における全系の焦点距離をｆｗ、広角端におけるバックフォーカスをｓｋｗとするとき、
−７．０＜ｆ３／ｆｗ＜−１．８
０．３６＜ｓｋｗ／ｆｗ＜１．０
１．２＜ｆ３／ｆ２＜５．０
なる条件式を満足することを特徴としている。
【発明の効果】
【００１３】
本発明によれば、レンズ全長が短くレンズ有効径が小さく、全ズーム範囲及び物体距離全般にわたり高い光学性能が容易に得られるズームレンズが得られる。
【図面の簡単な説明】
【００１４】
【図１】実施例１のズームレンズの広角端におけるレンズ断面図
【図２】（Ａ）、（Ｂ）、（Ｃ）  実施例１の広角端、中間ズーム位置、望遠端における収差図
【図３】実施例２のズームレンズの広角端におけるレンズ断面図
【図４】（Ａ）、（Ｂ）、（Ｃ）  実施例２の広角端、中間ズーム位置、望遠端における収差図
【図５】実施例３のズームレンズの広角端におけるレンズ断面図
【図６】（Ａ）、（Ｂ）、（Ｃ）  実施例３の広角端、中間ズーム位置、望遠端における収差図
【図７】実施例４のズームレンズの広角端におけるレンズ断面図
【図８】（Ａ）、（Ｂ）、（Ｃ）  実施例４の広角端、中間ズーム位置、望遠端における収差図
【図９】実施例５のズームレンズの広角端におけるレンズ断面図
【図１０】（Ａ）、（Ｂ）、（Ｃ）  実施例５の広角端、中間ズーム位置、望遠端における収差図
【図１１】本発明の撮像装置の要部概略図
【発明を実施するための形態】
【００１５】
以下に、本発明の好ましい実施の形態を、添付の図面に基づいて説明する。本発明のズームレンズは、物体側から像側へ順に配置された、正の屈折力の第１レンズ群、負の屈折力の第２レンズ群、負の屈折力の第３レンズ群、１つ以上のレンズ群を含む後群より構成され、ズーミングに際して隣り合うレンズ群の間隔が変化する。
【００１６】
図１は本発明の実施例１のズームレンズの広角端（短焦点距離端）におけるレンズ断面図である。図２（Ａ）、（Ｂ）、（Ｃ）は、それぞれ、実施例１の無限遠に合焦（フォーカス）した状態での、広角端、中間ズーム位置、望遠端（長焦点距離端）における収差図である。実施例１はズーム比２．７５、Ｆナンバー２．８８のズームレンズである。
【００１７】
図３は本発明の実施例２のズームレンズの広角端におけるレンズ断面図である。図４（Ａ）、（Ｂ）、（Ｃ）は、それぞれ、実施例２の無限遠に合焦した状態での、広角端、中間ズーム位置、望遠端における収差図である。実施例２はズーム比２．７５、Ｆナンバー２．９１のズームレンズである。
【００１８】
図５は本発明の実施例３のズームレンズの広角端におけるレンズ断面図である。図６（Ａ）、（Ｂ）、（Ｃ）は、それぞれ、実施例３の無限遠に合焦した状態での、広角端、中間ズーム位置、望遠端における収差図である。実施例３はズーム比２．７５、Ｆナンバー２．８８のズームレンズである。
【００１９】
図７は本発明の実施例４のズームレンズの広角端におけるレンズ断面図である。図８（Ａ）、（Ｂ）、（Ｃ）は、それぞれ、実施例４の無限遠に合焦した状態での、広角端、中間ズーム位置、望遠端における収差図である。実施例４はズーム比２．７５、Ｆナンバー２．８８のズームレンズである。
【００２０】
図９は本発明の実施例５のズームレンズの広角端におけるレンズ断面図である。図１０（Ａ）、（Ｂ）、（Ｃ）は、それぞれ、実施例５の無限遠に合焦した状態での、広角端、中間ズーム位置、望遠端における収差図である。実施例５はズーム比３．０４、Ｆナンバー２．００〜２．８８のズームレンズである。図１１は本発明の撮像装置の要部概略図である。
【００２１】
各実施例のズームレンズはビデオカメラ、デジタルスチルカメラ、ＴＶカメラなどの撮像装置に用いられる撮像光学系である。尚、各実施例のズームレンズは投射装置（プロジェクタ）用の投射光学系として用いることもできる。レンズ断面図において、左方が物体側（前方）で、右方が像側（後方）である。また、レンズ断面図において、Ｌ０はズームレンズである。ｉを物体側からのレンズ群の順番とすると、Ｌｉは第ｉレンズ群を示す。
【００２２】
ＬＲは１つ以上のレンズ群を含む後群である。ＳＰは開放Ｆナンバー（Ｆｎｏ）の光束を決定（制限）する開口絞りである。ＦＣはフレアカッターであり、不要な中間像高の光線をカットすることで光学性能の向上に寄与している。ＩＳは防振群である。ＩＰは像面であり、ビデオカメラやデジタルスチルカメラの撮影光学系として使用する際にはＣＣＤセンサやＣＭＯＳセンサ等の固体撮像素子（光電変換素子）の撮像面が置かれる。矢印は広角端から望遠端へのフォーカシングに際しての各レンズ群の移動軌跡を示す。
【００２３】
フォーカス（ＦＯＣＵＳ）に関する矢印は無限遠から近距離へのフォーカシングに際してのレンズ群の移動方向を示している。
【００２４】
収差図においてＦｎｏはＦナンバー、ωは半画角（度）であり、光線追跡値による画角である。球面収差図において、実線のｄはｄ線（波長５８７．５６ｎｍ）、二点鎖線のｇはｇ線（波長４３５．８３５ｎｍ）である。非点収差図において実線のΔＳはｄ線におけるサジタル像面、破線のΔＭはｄ線におけるメリディオナル像面である。歪曲収差はｄ線について示している。倍率色収差図において二点鎖線のｇはｇ線、一点鎖線のＣはＣ線、破線のＦはＦ線である。
【００２５】
各実施例のズームレンズは、物体側から像側へ順に配置された、正の屈折力の第１レンズ群Ｌ１、負の屈折力の第２レンズ群Ｌ２、負の屈折力の第３レンズ群Ｌ３、１つ以上のレンズ群からなる後群ＬＲより構成されている。後群ＬＲは開口絞りＳＰを有する正の屈折力の第４レンズ群Ｌ４を有している。
【００２６】
各実施例のズームレンズは、第１レンズ群Ｌ１、第２レンズ群Ｌ２、第３レンズ群Ｌ３、第４レンズ群Ｌ４の移動により主に変倍を行っている。第１レンズ群Ｌ１はズーミングに際し、物体側へ移動して広角端における前玉有効径を小型化しつつ、高ズーム比化を図っている。また、広角端から望遠端へのズーミングに際して第４レンズ群Ｌ４以降のレンズ群を物体側へ移動させることで、高い変倍効果を得ている。全ズーム領域において、無限遠から近距離へフォーカスはフォーカス（ＦＯＣＵＳ）の矢印に示す如く、第３レンズ群Ｌ３を物体側へ繰り出すことで行っている。
【００２７】
各実施例のズームレンズＬ０は、物体側から像側へ順に配置された、正の屈折力の第１レンズ群Ｌ１、負の屈折力の第２レンズ群Ｌ２、負の屈折力の第３レンズ群Ｌ３、及び１つ以上のレンズ群を含む後群ＬＲからなる。フォーカシングに際して第３レンズ群Ｌ３が移動する。また、広角端から望遠端へのズーミングに際し、第２レンズ群Ｌ２と第３レンズ群Ｌ３の間隔が広がる。
【００２８】
ポジティブリード型のズームレンズにおいて、バックフォーカスを有効に使い、レンズ全長を短くするには、開口絞りＳＰより物体側の負の屈折力のレンズ群の負の屈折力をある程度弱くするのが良い。更に開口絞りＳＰより像側の正の屈折力のレンズ群の正の屈折力を強くすることが良い。
【００２９】
これによれば、更にズーム全域で良好な光学性能を容易に確保することができる。また開口比がＦｎｏ２．８を超えるような大口径比のズームレンズにおいて、フォーカシングに際して像倍率の変動を抑制し至近での光学性能を良好に確保しつつ全系の小型化を図るためには開口絞りＳＰ付近のレンズ群でフォーカシングを行うことが有効である。
【００３０】
また、主変倍レンズ群である第２レンズ群Ｌ２の負の屈折力を比較的弱めに設定すると、その後続に設置するフォーカス用の第３レンズ群Ｌ３との屈折力配分を高い光学性能を維持しつつ行える。そのため、フォーカシングに際して光学性能を良好に維持することができる。
【００３１】
また、第３レンズ群Ｌ３は第２レンズ群Ｌ２に対し広角端から望遠端へのズーミングにかけて、レンズ群間隔が増大するように移動している。これにより、広角端では負の屈折力をより物体側に寄せる所謂レトロフォーカス構成、望遠端では負の屈折力をより像側に寄せるテレフォト構成とし、効果的にレンズ全長の小型化を図っている。
【００３２】
次に各実施例のレンズ構成について説明する。実施例１は物体側から像側へ順に、正の屈折力の第１レンズ群Ｌ１、負の屈折力の第２レンズ群Ｌ２、負の屈折力の第３レンズ群Ｌ３、正の屈折力の第４レンズ群Ｌ４、正の屈折力の第５レンズ群Ｌ５からなる５群ズームレンズである。後群ＬＲは正の屈折力の第４レンズ群Ｌ４と正の屈折力の第５レンズ群Ｌ５より構成されている。
【００３３】
広角端から望遠端へのズーミングに際して、第１レンズ群が物体側に直線移動、第２レンズ群が像側に凸の軌跡で移動する。第３レンズ群は合焦時に物体側へ移動するフォーカス群であり、ズーミングに際し、第２レンズ群に対して間隔が広がる軌跡で移動する。第４レンズ群は群内に開口絞りを有し、ズーミングに際し、物体側へ移動する。第５レンズ群はズーミングに際し第４レンズ群との間隔が狭まるように物体側へ移動する。また第４レンズ群の像側の負レンズと正レンズの２つのレンズは、レンズを光軸の垂直方向に移動することで、像ぶれ(手振れ)を補償する所謂防振群である。
【００３４】
実施例２はレンズ群の数、ズーミングに際しての各レンズ群の移動条件等のズームタイプは実施例１と同じである。フォーカシングに際して移動するレンズ群及び移動方向等のフォーカス方式は実施例１と同じである。第５レンズ群Ｌ５内の物体側から数えて５番目乃至７番目の３つのレンズは、防振群である。
【００３５】
実施例３は物体側から像側へ順に、正の屈折力の第１レンズ群Ｌ１、負の屈折力の第２レンズ群Ｌ２、負の屈折力の第３レンズ群Ｌ３、正の屈折力の第４レンズ群Ｌ４、負の屈折力の第５レンズ群Ｌ５、正の屈折力の第６レンズ群Ｌ６、負の屈折力の第７レンズ群Ｌ７からなる７群ズームレンズである。後群ＬＲは正の屈折力の第４レンズ群Ｌ４、負の屈折力の第５レンズ群Ｌ５、正の屈折力の第６レンズ群Ｌ６、負の屈折力の第７レンズ群Ｌ７より構成されている。
【００３６】
広角端から望遠端へのズーミングに際して、第１レンズ群が物体側に直線的に移動、第２レンズ群Ｌ２が像側に凸軌跡で移動する。第３レンズ群Ｌ３は無限遠から近距離への合焦時に物体側へ移動するフォーカスレンズ群である。第３レンズ群Ｌ３は広角端から望遠端へのズーミングに際し、第２レンズ群Ｌ２に対して間隔が広がる軌跡で移動する。第４レンズ群Ｌ４はレンズ群内に開口絞りＳＰを有し、広角端から望遠端へのズーミングに際し、物体側へ移動する。
【００３７】
第５レンズ群Ｌ５は広角端から望遠端へのズーミングに際して物体側へ移動する。第５レンズ群Ｌ５は防振群である。広角端から望遠端へのズーミングに際して第６レンズ群Ｌ６と第７レンズ群Ｌ７は物体側へ移動する。また、広角端から望遠端へのズーミングに際し、第４レンズ群Ｌ４と第５レンズ群Ｌ５の間隔は広がり、第５レンズ群Ｌ５と第６レンズ群Ｌ６の間隔は狭まるように移動する。
【００３８】
実施例４は物体側から像側へ順に、正の屈折力の第１レンズ群Ｌ１、負の屈折力の第２レンズ群Ｌ２、負の屈折力の第３レンズ群Ｌ３、正の屈折力の第４レンズ群Ｌ４、正の屈折力の第５レンズ群Ｌ５、負の屈折力の第６レンズ群Ｌ６からなる６群ズームレンズである。後群ＬＲは正の屈折力の第４レンズ群Ｌ４、正の屈折力の第５レンズ群Ｌ５、負の屈折力の第６レンズ群Ｌ６より構成されている。
【００３９】
広角端から望遠端へのズーミングに際して、第１レンズ群Ｌ１が物体側に直線的に移動、第２レンズ群Ｌ２が像側に凸軌跡で移動する。第３レンズ群Ｌ３は無限遠から近距離への合焦時に物体側へ移動するフォーカスレンズ群である。第３レンズ群Ｌ３は広角端から望遠端へのズーミングに際し、第２レンズ群Ｌ２に対して間隔が広がる軌跡で移動する。
【００４０】
第４レンズ群Ｌ４はレンズ群内に開口絞りＳＰを有し、広角端から望遠端へのズーミングに際し、物体側へ移動する。第５レンズ群Ｌ５は広角端から望遠端へのズーミングに際し第４レンズ群Ｌ４との間隔が狭まるように物体側へ移動する。第６レンズ群Ｌ６は広角端から望遠端へのズーミングに際し物体側へ移動する。また第４レンズ群Ｌ４の像側の負レンズと正レンズの２つのレンズは、防振群である。
【００４１】
実施例５はズームタイプ及びフォーカス方式は実施例１と同じである。また第５レンズ群Ｌ５の物体側から数えて５番目の正レンズと６番目の負レンズの２つのレンズは、防振群である。
【００４２】
本発明のズームレンズは、広角端に比べて望遠端において第２レンズ群Ｌ２と第３レンズ群Ｌ３の間隔が増大し、フォーカシングに際して第３レンズ群Ｌ３が移動し、第２レンズ群Ｌ２の焦点距離をｆ２、第３レンズ群Ｌ３の焦点距離をｆ３とする。広角端における全系の焦点距離をｆｗ、広角端におけるバックフォーカスをｓｋｗとする。このとき、
−７．０＜ｆ３／ｆｗ＜−１．８    ・・・（１）
０．３６＜ｓｋｗ／ｆｗ＜１．０    ・・・（２）
１．２＜ｆ３／ｆ２＜５．０        ・・・（３）
なる条件式を満足する。
【００４３】
次に前述の各条件式の技術的意味について説明する。条件式（１）はレンズ全長の短縮化とフォーカス用の第３レンズ群Ｌ３の軽量化を図るために、第３レンズ群Ｌ３の焦点距離ｆ３を設定したものである。
【００４４】
条件式（１）の上限を上回って、負の焦点距離ｆ３が短くなると（負の焦点距離の絶対値が小さくなると）、第３レンズ群Ｌ３の負の屈折力が強くなり（負の屈折力の絶対値が大きくなり）すぎる。この結果、無限遠から至近へのフォーカシングに際して像面湾曲の変動が増加してくる。
【００４５】
また第３レンズ群Ｌ３の負の屈折力が強まりすぎると、後群ＬＲでの光速幅が大きくなるため、とりわけ大口径比のズームレンズにおいては望遠端での高次の球面収差の補正が困難となってくる。或いは、広角端における全系の焦点距離が長くなり、広角端での所望の画界を得ることが困難となる。
【００４６】
条件式（１）の下限を下回って負の焦点距離ｆ３が長くなると（負の焦点距離の絶対値が大きくなると）、第３レンズ群Ｌ３の負の屈折力が弱くなり（負の屈折力の絶対値が小さくなり）すぎる。この結果、フォーカシングに際しての第３レンズ群Ｌ３の移動量を大きくしなければならず、全系の小型化が困難になる。
【００４７】
条件式（２）はレンズ全長の短縮化を図るために広角端におけるバックフォーカスを規定したものである。ここで、バックフォーカスは最終レンズから像面までを空気換算した光路長(in air)として定義する。条件式（２）の上限を超えて、バックフォーカスｓｋｗが長くなると、レンズ全長が長くなり、全系の小型化が困難になる。或いは、広角端における全系の焦点距離ｆｗが短くなると、広画角化のための開口絞りより物体側の負の屈折力のレンズ群の屈折力が強まり、所望の光学性能を得るのが困難となり、また前玉有効径が大型化してくる。
【００４８】
条件式（２）の下限を超えて、バックフォーカスｓｋｗが短くなりすぎると、レンズ交換式の撮像装置においては、レンズマウント取り付け部のクリアランスが小さくなり、メカレイアウトが困難となる。また、撮像面近傍にレンズを配置すると、撮像面と撮像面付近のレンズに起因するゴーストが発生しやすくなり、好ましくない。
【００４９】
更に、像面への光線の入射角度を抑えるために、最終レンズ群の正の屈折力を高める必要があり、そうすると光学性能が低下してくる。また、撮像素子の保護ガラスや各種フィルターを挿入する空間が狭くなるので、好ましくない。
【００５０】
条件式（３）はフォーカス用の第３レンズ群Ｌ３の焦点距離ｆ３と第２レンズ群Ｌ２の焦点距離ｆ２を適切に設定したものである。条件式（３）はフォーカシングに際しての光学性能を良好に維持しつつ、広角端におけるレンズ全長を短縮化するためのものである。
【００５１】
条件式（３）の上限を上回って、負の焦点距離ｆ３が長くなると、第３レンズ群Ｌ３の負の屈折力が弱くなりすぎ、フォーカシングのための移動量が増加して全系の小型化が困難になる。或いは、負の焦点距離ｆ２が短くなりすぎ、望遠端において第３レンズ群Ｌ３に入射する光線幅が大きくなりすぎ、第３レンズ群Ｌ３の有効径が増大してくるので好ましくない。
【００５２】
条件式（３）の下限を下回って、負の焦点距離ｆ３が短くなると、フォーカシングに際して第３レンズ群Ｌ３の移動量は減るが、無限遠から至近へのフォーカシングに際しての像面湾曲の変動が増大してくるので好ましくない。また第３レンズ群Ｌ３の負の屈折力が強まりすぎると、後群ＬＲでの光束幅が大きくなるため、とりわけ大口径比のズームレンズにおいては望遠端において高次の球面収差の補正が困難となってくるため好ましくない。
【００５３】
各実施例において好ましくは次の条件式のうち１つ以上を満足するのが良い。第１レンズ群Ｌ１の焦点距離をｆ１とする。広角端における後群ＬＲの合成焦点距離をｆｒｗとする。望遠端における第２レンズ群Ｌ２と第３レンズ群Ｌ３のレンズ群間隔をＬ２３ｔ、広角端における第２レンズ群Ｌ２と第３レンズ群Ｌ３のレンズ群間隔をＬ２３ｗとする。広角端における第３レンズ群Ｌ３の横倍率をβ３ｗとする。
【００５４】
望遠端における第３レンズ群Ｌ３の横倍率をβ３ｔ、望遠端における後群ＬＲの合成横倍率をβｒｔとする。広角端における、像面から射出瞳までの距離をＰＯｗとする。広角端から望遠端へのズーミングにおける第１レンズ群Ｌ１の移動量をｍ１とする。
【００５５】
このとき次の条件式のうち１つ以上を満足するのが良い。
−５．０＜ｆ２／ｆｗ＜−１．１          ・・・（４）
２．０＜ｆ１／ｆｗ＜７．０              ・・・（５）
１．１＜ｆｒｗ／ｆｗ＜４．０            ・・・（６）
１．０５＜Ｌ２３ｔ／Ｌ２３ｗ＜５．００  ・・・（７）
０．２＜β３ｗ＜０．８                  ・・・（８）
２．０＜（１−β３ｔ2）βｒｔ2＜５．０  ・・・（９）
−３．０＜ＰＯｗ／ｆｗ＜−１．２        ・・・（１０）
−６．０＜ｍ１／ｆｗ＜−１．０          ・・・（１１）
【００５６】
次に前述の各条件式の技術的意味について説明する。条件式（４）は主たる変倍レンズ群である負の屈折力の第２レンズ群Ｌ２の焦点距離ｆ２を適切に設定し、レンズ全長の短縮化を図りつつ、高い光学性能を得るためのものである。
【００５７】
条件式（４）の下限を上回って、負の焦点距離ｆ２が長くなりすぎると、バックフォーカスは短くなるが、所望のズーム比を得るために、第２レンズ群Ｌ２の移動量が増加し、レンズ全長が増大してくる。また全系の負の屈折力も弱まるため、ペッツバール和が正の方向に強くなる傾向にあり、非点収差や像面湾曲が増加してくる。或いは、広角端における全系の焦点距離ｆｗが短くなると、広画角化のための開口絞りＳＰより物体側の負の屈折力の屈折力が強まり、光学性能が低下し、更に前玉有効径が増加してくる。
【００５８】
条件式（４）の上限を上回って、負の焦点距離ｆ２が短くなりすぎると、第２レンズ群Ｌ２の負の屈折力が強くなりすぎ、後続するフォーカス用の第３レンズ群Ｌ３の外径が大きくなり、全系の小型化が困難になる。また、第２レンズ群Ｌ２の負の焦点距離が短くなると、広角端におけるレンズ全長を小型化するために、第３レンズ群Ｌ３以降の正の屈折力を必要以上に強くする必要があり、この結果、球面収差等の軸上の収差が増大し、この収差を補正することが難しくなる。或いは広角端における全系の焦点距離ｆｗが長くなり、広角端における全系の焦点距離を短くするのが困難になる。
【００５９】
条件式（５）は必要なズーム比を得るために、広角端における全系の焦点距離ｆｗと第１レンズ群Ｌ１の焦点距離ｆ１を規定している。条件式（５）の上限を超えて、第１レンズ群Ｌ１の正の焦点距離が長くなると、広角端において倍率色収差の補正、望遠端において軸上色収差の補正は容易となる。しかしながらズーミングに際して第１レンズ群Ｌ１の移動量が大きくなり、レンズ全長が増大してくるため好ましくない。
【００６０】
条件式（５）の下限値を超えて、第１レンズ群Ｌ１の正の焦点距離が短くなると、全系の小型化は容易となるが、少ないレンズ枚数で球面収差やコマ収差等を良好に補正することが困難となる。更に、広角端における全系の焦点距離が長くなってくると、所望のズーム比を確保することが困難となる。
【００６１】
条件式（６）はレンズ全長の短縮化のために、広角端における後群ＬＲの合成焦点距離ｆｒｗを規定している。条件式（６）の上限を上回って合成焦点距離ｆｒｗが長くなると、開口絞りＳＰより像側のレンズ群の正の屈折力が弱まり、広角端におけるレンズ全長を短くすることが困難となる。或いは、広角端における全系の焦点距離ｆｗが短くなると、広画角化のための開口絞りＳＰより物体側の負の屈折力のレンズ群の屈折力が強まり、所望の光学性能を得るのが困難となり、更に前玉有効径が増大してくる。
【００６２】
条件式（７）は広角端及び望遠端において、レンズ全長を短縮化するために、第２レンズ群Ｌ２と第３レンズ群Ｌ３のレンズ群間隔を規定している。
【００６３】
条件式（７）の上限を上回ってレンズ群間隔Ｌ２３ｔが大きくなると、望遠端においてテレフォト配置が強まり、変倍は容易となるが、第３レンズ群Ｌ３への軸上光束の入射光束幅が大きくなり、第３レンズ群Ｌ３の有効径が増大してくる。また、第３レンズ群Ｌ３と後群ＬＲとの間隔が縮まりすぎると、無限時におけるレンズ間隔の余裕量が小さくなりすぎ、製造誤差が少なくなるため好ましくない。或いは、レンズ群間隔Ｌ２３ｗが小さくなると。広角端における至近撮像時の余裕量が減り、製造誤差が少なくなるため好ましくない。
【００６４】
条件式（７）の下限を下回って、レンズ群間隔Ｌ２３ｔが小さくなると、望遠端におけるテレフォト配置による効果が薄まり、第２レンズ群Ｌ２と第３レンズ群Ｌ３のレンズ群間隔の変化による変倍作用が小さくなるため、レンズ全長の短縮化が困難になる。或いはレンズ群間隔Ｌ２３ｗが大きくなると、広角端におけるレンズ全体のレトロフォーカス効果が減少する屈折力配置になるため、広角端におけるレンズ全長の短縮化が困難になる。
【００６５】
条件式（８）は第３レンズ群Ｌ３によるフォーカス時の光学性能を良好に維持しつつレンズ全長の短縮化を図るために第３レンズ群Ｌ３の広角端における横倍率β３ｗを定めたものである。条件式（８）の上限を超えると、第３レンズ群Ｌ３のフォーカス敏感度が高くなりすぎ、フォーカスに際するメカニカルな高度の駆動制御が難しくなる。条件式（８）の下限を超えると第３レンズ群Ｌ３のフォーカス敏感度が低くなり、至近距離の光学性能が低下するとともに、第３レンズ群Ｌ３の光軸方向の長さが増加してくるので好ましくない。
【００６６】
条件式（９）は望遠端における高いフォーカス性能を実現するために、望遠端における第３レンズ群の横倍率β３ｔ、望遠端における第３レンズより像側に配置される後群の合成横倍率βｒｔを規定した条件式である。条件式（９）は望遠端におけるフォーカス敏感度の式そのものである。
【００６７】
条件式（９）の上限を超えて、フォーカス敏感度が高くなると、フォーカスレンズ群をメカニカルに制御することが困難となり、好ましくない。また、フォーカスレンズ群の屈折力が高まる傾向にあり、近距離撮影時の十分な光学性能を確保することが困難となり、好ましくない。条件式（９）の下限を超えて、フォーカス敏感度が小さくなると、フォーカシングにおける移動量が増え、メカニカルなレイアウトが大きくなる傾向にあり、小型化の観点から好ましくない。
【００６８】
条件式（１０）は高いテレセントリック性を確保するために、広角端における射出瞳位置ＰＯｗと広角端における全系の焦点距離ｆｗの関係を規定したものである。ここで射出瞳位置ＰＯｗは、像面より物体側にある場合を負と定義する。条件式（１０）の上限を超えて射出瞳位置ＰＯｗが大きくなると、最終のレンズ群の屈折力が強まる傾向にあり、像面湾曲を十分に抑制することが難しくなる。
【００６９】
条件式（１０）の下限を超えて、射出瞳位置ＰＯｗが小さくなると、周辺像高の光線の像面への入射角度が大きくなりすぎ、所謂シェーディングが増加するので好ましくない。或いは、広角端における全系の焦点距離ｆｗが長くなり、所望のズーム倍率を得るのが困難となる。
【００７０】
条件式（１１）は広角端における全系の焦点距離とズーミングに際しての第１レンズ群Ｌ１の移動量を規定するためのものである。ここで第１レンズ群Ｌ１の移動量は広角端における光軸上の位置と望遠端における光軸上の位置の差で定義されるものである。広角端に比べて望遠端において物体側に位置するようにレンズ群が移動するときは符号が負となり、広角端に比べて望遠端において像側に位置するようにレンズ群が移動するときは符号が正となる。
【００７１】
条件式（１１）の上限を超えて、広角端における全系の焦点距離が長くなると、高いズーム比を得ることが困難となる。あるいは、第１レンズ群Ｌ１の移動量が短くなり、第１レンズ群Ｌ１の正の屈折力が強くなりすぎ、球面収差やコマ収差が増大するため好ましくない。
【００７２】
条件式（１１）の下限を超えて、広角端における全系の焦点距離が短くなると、第１レンズ群Ｌ１のレンズ有効径が大きくなり、全系が大型化するため好ましくない。あるいは、第１レンズ群Ｌ１のズーミングにおける移動量が大きくなると、望遠端におけるレンズ全長が長くなり、全系が大型化を招くため好ましくない。
【００７３】
なお、各実施例において、好ましくは、条件式（１）乃至条件式（１１）の数値範囲を次の如く設定すると良い。
−５．０＜ｆ３／ｆｗ＜−１．９            ・・・（１ａ）
０．３８＜ｓｋｗ／ｆｗ＜０．９０          ・・・（２ａ）
１．３＜ｆ３／ｆ２＜４．０                ・・・（３ａ）
−３．０＜ｆ２／ｆｗ＜−１．２            ・・・（４ａ）
２．５＜ｆ１／ｆｗ＜６．０                ・・・（５ａ）
１．１＜ｆｒｗ／ｆｗ＜３．０              ・・・（６ａ）
１．０５＜Ｌ２３ｔ／Ｌ２３ｗ＜３．００    ・・・（７ａ）
０．２５＜β３ｗ＜０．７０                ・・・（８ａ）
２．０１＜（１−β３ｔ2）βｒｔ2＜４．５  ・・・（９ａ）
−２．８＜ＰＯｗ／ｆｗ＜−１．３          ・・・（１０ａ）
−４．０＜ｍ１／ｆｗ＜−１．１            ・・・（１１ａ）
【００７４】
また、更に好ましくは、各実施例において、条件式（１ａ）乃至条件式（１１ａ）の数値範囲を次の如く設定するのが良い。
−４．５０＜ｆ３／ｆｗ＜−１．９５        ・・・（１ｂ） 
０．３９＜ｓｋｗ／ｆｗ＜０．７０          ・・・（２ｂ）
１．３５＜ｆ３／ｆ２＜３．５０            ・・・（３ｂ）
−２．０＜ｆ２／ｆｗ＜−１．２            ・・・（４ｂ）
３．０＜ｆ１／ｆｗ＜５．５                ・・・（５ｂ）
１．２＜ｆｒw／ｆｗ＜２．０              ・・・（６ｂ）
１．１＜Ｌ２３ｔ／Ｌ２３ｗ＜２．０        ・・・（７ｂ）
０．３＜β３ｗ＜０．６                    ・・・（８ｂ）
２．０２＜（１−β３ｔ2）βｒｔ2＜４．０  ・・・（９ｂ）
−２．５＜ＰＯｗ／ｆｗ＜−１．５          ・・・（１０ｂ）
−２．０＜ｍ１／ｆｗ＜−１．２            ・・・（１１ｂ）
【００７５】
各実施例において、フォーカスレンズ群である第３レンズ群はフォーカシングスピードを速くするためできるだけ軽量であることが良い。そのため、第３レンズ群Ｌ３は２枚以下のレンズよりなる接合レンズ、または１枚のレンズで構成することが良い。また、第３レンズ群Ｌ３には少なくとも１つのレンズ面を非球面形状とすることが好ましい。
【００７６】
また、全系を小型化しつつ広画角で高いズーム比を得るには、第１レンズ群Ｌ１のレンズ枚数が少ないほど良い。これによれば第１レンズ群Ｌ１を通る軸外光束の入射高さが低くなり、第１レンズ群Ｌ１の有効径を小さくすることができる。そのため、第１レンズ群Ｌ１のレンズ枚数は３枚以下の構成とするのが良い。また、第２レンズ群Ｌ２は広画角化を図るために、物体側より像側へ順に２枚の負レンズと、１枚の正レンズを有することが好ましい。第２レンズ群Ｌ２を負の屈折力とし、広画角化を容易にしている。
【００７７】
また、本発明によれば、後群ＬＲの屈折力を適切に設定することによって軸外諸収差、特に非点収差・歪曲収差を良好に補正している。更に広画角化及び高ズーム比化を図った際の球面収差、コマ収差の補正を効果的に行っている。
【００７８】
各実施例では以上の様に各要素を構成することで、レンズ全長が短くレンズ有効径を小型にしつつ、高いフォーカス性能を有するズームレンズを得ている。
【００７９】
次に本発明のズームレンズを撮像光学系として用いたデジタルスチルカメラ（撮像装置）の実施例に関して図１１を用いて説明する。
【００８０】
図１１において、１０はカメラ本体、１１は本発明のズームレンズによって構成された撮像光学系である。１２はカメラ本体に内蔵され、撮像光学系１１によって形成された被写体像を受光するＣＣＤセンサやＣＭＯＳセンサ等の固体撮像素子（光電変換素子）である。
【００８１】
以下に実施例１乃至５に対応する数値データ１乃至５を示す。各数値データにおいてｉは物体側からの面の順番を示す。数値データにおいてｒｉは物体側より順に第ｉ番目のレンズ面の曲率半径、ｄｉは物体側より順に第ｉ番目のレンズ厚及び空気間隔、ｎｄｉとνｄｉは各々物体側より順に第ｉ番目のレンズの材料の屈折率とアッベ数である。ＢＦはバックフォーカスである。非球面形状は光軸方向にＸ軸、光軸と垂直方向にＨ軸、光の進行方向を正とし、Ｒを近軸曲率半径、Ｋ、Ａ２、Ａ４、Ａ６、Ａ８、Ａ１０、Ａ１２を各々非球面係数とするとき、
【００８２】
【数１】
2019049645.tif 000003
で与えるものとする。
【００８３】
各非球面係数において「ｅ−ｘ」は「１０-x」を意味する。また、焦点距離、Ｆナンバー等のスペックに加え、全系の半画角、像高は半画角を決定する最大像高、レンズ全長は第１レンズ面から像面までの距離である。バックフォーカスＢＦは最終レンズ面から像面までの長さを示している。また、各レンズ群データは各レンズ群とそれらの焦点距離を示している。
【００８４】
また、各光学面の間隔ｄが（可変）となっている部分はズーミングに際して変化するものであり、別表に焦点距離に応じた面間隔を記している。尚、以下に記載する数値データ１乃至５のレンズデータに基づく各条件式の計算結果を表１に示す。
【００８５】
［数値データ1］
単位 mm
面データ
面番号       r        d      nd         νd
1        432.460    2.00   1.80810    22.8           
2        125.092    5.52   1.72916    54.7           
3       1309.759    0.15                             
4         66.447    6.26   1.72916    54.7           
5        205.666  (可変)                             
6*       154.358    1.70   1.85400    40.4           
7         20.373    9.42                             
8        -54.414    1.35   1.53775    74.7           
9         25.491    7.76   1.76182    26.5           
10       -145.189  (可変)                             
11*       -44.365    1.40   1.77250    49.6           
12*      -296.834  (可変)                             
13        130.090    2.77   1.72916    54.7           
14       -129.419    2.50                             
15(絞り)    ∞       0.30                             
16         47.327    4.92   1.59522    67.7           
17       -122.438    0.15                             
18         46.629    6.45   1.49700    81.5           
19        -39.419    1.30   1.95375    32.3           
20       -217.709    1.56                             
21*      -173.136    1.50   1.76802    49.2           
22         51.643    0.15                             
23         36.796    1.73   1.76081    35.4           
24         46.562  (可変)                             
25         25.855    6.93   1.49700    81.5           
26       -185.611    0.15                             
27         32.445    5.57   1.49700    81.5           
28       -113.829    0.15                             
29        152.509    4.82   1.49700    81.5           
30        -32.532    1.15   1.85400    40.4           
31*        41.061    6.53                             
32        -27.368    3.27   1.59270    35.3           
33        -23.864    2.82                             
34        -16.427    1.50   1.48749    70.2           
35        -49.060    0.15                             
36        174.742    3.32   2.00069    25.5           
37       -127.437  (可変)                             
像面        ∞   
【００８６】
非球面データ
第6面
K = 0.00000e+000  A 4= 3.63436e-006  A 6=-2.68714e-009  A 8= 2.41369e-012  A10=-3.81151e-015  A12= 5.12532e-018  
第11面
K = 0.00000e+000  A 4=-5.56516e-005  A 6= 3.53050e-007  A 8=-1.51960e-009  A10= 3.30013e-012  A12=-1.78434e-015  
第12面
K = 0.00000e+000  A 4=-5.15168e-005  A 6= 3.60413e-007  A 8=-1.67851e-009  A10= 4.45364e-012  A12=-4.83534e-015  
第21面
K = 0.00000e+000  A 4= 1.31489e-006  A 6=-1.95561e-010  A 8= 1.77865e-011  A10=-1.00521e-013  A12= 1.36914e-016  
第31面
K = 0.00000e+000  A 4= 2.23797e-005  A 6= 7.61797e-009  A 8= 3.21907e-010  A10=-1.64419e-012  A12= 7.03286e-015  
各種データ
ズーム比     2.75 
広角     中間     望遠
焦点距離      24.71    45.00    67.90  
Fナンバー      2.88     2.88     2.88  
半画角（度）  41.21    25.68    17.67  
像高          21.64    21.64    21.64  
レンズ全長   143.89   161.78   179.68  
BF            13.42    27.34    38.58  
d 5            0.90    18.97    30.85  
d10            6.41     7.78     8.83  
d12           16.50     6.08     1.10  
d24           11.42     6.37     5.08  
d37           13.42    27.34    38.58  
レンズ群データ
群  始面    焦点距離  
1    1     121.70  
2    6     -34.30  
3   11     -67.69  
4   13      44.18  
5   25      50.71  
【００８７】
［数値データ2］
単位 mm
面データ
面番号       r        d      nd         νd
1        266.943    2.00   1.80810    22.8           
2        107.248    5.20   1.72916    54.7           
3        582.229    0.15                             
4         70.988    5.77   1.72916    54.7           
5        235.023  (可変)                             
6*        83.175    1.70   1.85400    40.4           
7         19.439    9.80                             
8        -64.009    1.35   1.59522    67.7           
9         25.043    0.00                             
10         25.043    7.00   1.80810    22.8           
11        571.374    2.10                             
12        -43.459    2.24   1.64769    33.8           
13        -40.066  (可変)                             
14*       -42.596    1.40   1.77250    49.6           
15*      -283.991  (可変)                             
16         72.447    4.13   1.72916    54.7           
17       -113.883    2.50                             
18(絞り)    ∞       0.30                             
19         40.067    6.13   1.69680    55.5           
20       -144.330    2.09                             
21        -46.413    1.35   2.00100    29.1           
22        274.541  (可変)                             
23          ∞      -0.35                             
24         55.123    7.28   1.59522    67.7           
25        -60.553    0.15                             
26         24.634    8.33   1.49700    81.5           
27       -112.588    0.15                             
28*        47.182    1.30   1.85400    40.4           
29         15.100    3.96   1.49700    81.5           
30         26.904    2.61                             
31         49.476    1.55   1.95906    17.5           
32         93.452    0.90   1.95375    32.3           
33         32.229    3.30                             
34        -62.042    1.10   2.00100    29.1           
35       -100.985    2.93                             
36        207.275    3.89   1.48749    70.2           
37        -55.930    2.61                             
38        -26.377    1.73   1.58313    59.4           
39*       -63.015    0.15                             
40       -822.230    3.48   2.00069    25.5           
41        -67.577  (可変)                             
像面        ∞   
【００８８】
非球面データ
第6面
K = 0.00000e+000  A 4= 1.74742e-006  A 6=-1.55928e-009  A 8= 2.03209e-012  A10=-4.46823e-015  A12= 4.09239e-018  
第14面
K = 0.00000e+000  A 4=-4.00221e-005  A 6= 2.69271e-007  A 8=-1.39051e-009  A10= 3.86824e-012  A12=-3.07238e-015  
第15面
K = 0.00000e+000  A 4=-3.72813e-005  A 6= 2.66837e-007  A 8=-1.41507e-009  A10= 4.29655e-012  A12=-5.02900e-015  
第28面
K = 0.00000e+000  A 4=-1.95490e-005  A 6=-1.97181e-008  A 8=-5.56893e-011  A10= 5.63810e-013  A12=-1.30707e-015  
第39面
K = 0.00000e+000  A 4=-4.60311e-006  A 6=-8.06725e-009  A 8=-1.36554e-011  A10= 4.84124e-014  A12=-2.11891e-016  
各種データ
ズーム比     2.75 
広角     中間     望遠
焦点距離      24.70    44.35    67.90  
Fナンバー      2.91     2.91     2.91  
半画角（度）  41.21    26.00    17.67  
像高          21.64    21.64    21.64  
レンズ全長   143.90   163.71   183.52  
BF            16.31    31.98    46.03  
d 5            0.90    16.97    28.31  
d13            4.32     5.96     6.21  
d15           14.26     5.39     1.17  
d22            7.84     3.15     1.54  
d41           16.31    31.98    46.03  
レンズ群データ
群  始面    焦点距離  
1    1     121.00  
2    6     -30.49  
3   14     -65.04  
4   16      55.88  
5   23      41.27  
【００８９】
［数値データ3］
単位 mm
面データ
面番号       r        d      nd         νd
1        323.533    2.00   1.80810    22.8           
2        126.881    4.42   1.72916    54.7           
3        440.043    0.15                             
4         68.302    6.12   1.72916    54.7           
5        259.069  (可変)                             
6*       147.607    1.70   1.85400    40.4           
7         21.628   10.52                             
8        -64.369    1.35   1.53775    74.7           
9         26.713    8.75   1.76182    26.5           
10       -220.427  (可変)                             
11*       -42.546    1.40   1.77250    49.6           
12*      -236.572  (可変)                             
13         72.386    3.40   1.72916    54.7           
14       -248.059    2.50                             
15(絞り)    ∞       0.30                             
16         48.518    3.99   1.59522    67.7           
17       -474.461    0.15                             
18         60.328    6.49   1.49700    81.5           
19        -42.118    1.30   1.95375    32.3           
20       1267.152  (可変)                             
21*       418.278    1.50   1.76802    49.2           
22         77.355    0.15                             
23         67.064    1.64   1.84612    24.3           
24         98.731  (可変)                             
25         24.220    8.08   1.49700    81.5           
26       -192.788    0.15                             
27         39.644    4.32   1.49700    81.5           
28       -193.391    0.15                             
29        124.399    4.01   1.49700    81.5           
30        -38.984    1.15   1.85400    40.4           
31*        48.202  (可変)                             
32        -35.749    2.85   1.59270    35.3           
33        -37.810    9.89                             
34        -17.549    1.50   1.48749    70.2           
35        -84.358    0.15                             
36      -1803.462    3.97   2.00069    25.5           
37        -60.328  (可変)                             
像面        ∞   
【００９０】
非球面データ
第6面
K = 0.00000e+000  A 4= 2.63525e-006  A 6=-1.70776e-009  A 8= 1.98740e-012  A10=-3.30313e-015  A12= 2.66826e-018  
第11面
K = 0.00000e+000  A 4=-3.79555e-005  A 6= 2.25195e-007  A 8=-8.96513e-010  A10= 1.73006e-012  A12=-7.30641e-016  
第12面
K = 0.00000e+000  A 4=-3.51124e-005  A 6= 2.28717e-007  A 8=-9.86686e-010  A10= 2.34438e-012  A12=-2.20571e-015  
第21面
K = 0.00000e+000  A 4= 1.39889e-007  A 6= 7.56506e-010  A 8= 6.64308e-012  A10=-3.73630e-014  A12= 4.24931e-017  
第31面
K = 0.00000e+000  A 4= 2.10166e-005  A 6= 1.59242e-008  A 8= 2.44359e-010  A10=-1.11611e-012  A12= 5.10611e-015  
各種データ
ズーム比     2.75 
広角     中間     望遠
焦点距離      24.70    46.26    67.90  
Fナンバー      2.88     2.88     2.88  
半画角（度）  41.21    25.06    17.67  
像高          21.64    21.64    21.64  
レンズ全長   146.51   163.48   180.45  
BF             9.99    24.27    37.01  
d 5            0.90    18.62    28.05  
d10            8.20     9.02    10.00  
d12           16.82     5.79     1.15  
d20            0.80     2.10     5.00  
d24           11.42     4.95     1.44  
d31            4.33     4.68     3.75  
d37            9.99    24.27    37.01  
レンズ群データ
群  始面    焦点距離  
1    1     122.82  
2    6     -36.03  
3   11     -67.36  
4   13      41.06  
5   21    -250.18  
6   25      47.13  
7   32    -194.67  
【００９１】
［数値データ4］
単位 mm
面データ
面番号       r        d      nd         νd
1        197.899    2.00   1.80810    22.8           
2         92.762    5.33   1.72916    54.7           
3        313.793    0.15                             
4         69.740    5.42   1.72916    54.7           
5        219.234  (可変)                             
6*       235.791    1.70   1.85400    40.4           
7         21.745   10.74                             
8        -60.427    1.35   1.53775    74.7           
9         27.198    7.27   1.76182    26.5           
10       -210.994  (可変)                             
11*       -59.728    1.40   1.77250    49.6           
12*      -266.134  (可変)                             
13         71.347    2.80   1.72916    54.7           
14      -6357.657    2.50                             
15(絞り)    ∞       0.30                             
16         43.682    4.07   1.59522    67.7           
17      -2798.862    0.15                             
18         53.063    6.08   1.49700    81.5           
19        -45.898    1.30   1.95375    32.3           
20       -933.074    1.56                             
21*     -2944.296    1.50   1.76802    49.2           
22         56.115    0.15                             
23         38.398    1.71   1.75718    32.2           
24         48.151  (可変)                             
25         24.340    7.51   1.49700    81.5           
26       -352.182    0.15                             
27         32.883    5.05   1.49700    81.5           
28       -157.269    0.15                             
29        118.126    3.54   1.49700    81.5           
30        -43.812    1.15   1.85400    40.4           
31*        36.954  (可変)                             
32        -34.893    1.46   1.59270    35.3           
33        -28.968    3.20                             
34        -16.261    1.50   1.48749    70.2           
35        -44.021    0.15                             
36        295.540    2.50   2.00069    25.5           
37       -114.318  (可変)                             
像面        ∞   
【００９２】
非球面データ
第6面
K = 0.00000e+000  A 4= 3.42888e-006  A 6=-2.61873e-009  A 8= 2.19904e-012  A10=-2.71059e-015  A12= 2.07774e-018  
第11面
K = 0.00000e+000  A 4=-4.43596e-005  A 6= 2.05657e-007  A 8=-6.24320e-010  A10= 8.57765e-013  A12= 1.76408e-016  
第12面
K = 0.00000e+000  A 4=-4.14002e-005  A 6= 2.12242e-007  A 8=-7.24059e-010  A10= 1.38587e-012  A12=-9.17591e-016  
第21面
K = 0.00000e+000  A 4= 4.62094e-007  A 6=-1.62996e-009  A 8= 3.09696e-011  A10=-1.40164e-013  A12= 1.89613e-016  
第31面
K = 0.00000e+000  A 4= 2.27896e-005  A 6= 1.47481e-008  A 8= 4.11513e-010  A10=-2.32352e-012  A12= 1.12313e-014  
各種データ
ズーム比     2.75 
広角     中間     望遠
焦点距離      24.71    45.70    67.90  
Fナンバー      2.88     2.88     2.88  
半画角（度）  41.20    25.33    17.67  
像高          21.64    21.64    21.64  
レンズ全長   148.61   164.05   179.49  
BF            17.00    30.55    41.54  
d 5            0.90    18.75    29.58  
d10            9.58    10.65    11.64  
d12           20.03     7.08     1.08  
d24            9.47     5.28     4.03  
d31            7.78     7.90     7.79  
d37           17.00    30.55    41.54  
レンズ群データ
群  始面    焦点距離  
1    1     123.63  
2    6     -32.87  
3   11     -99.99  
4   13      53.58  
5   25      49.12  
6   32    -448.46  
【００９３】
［数値データ5］
単位 mm
面データ
面番号       r        d      nd         νd
1        193.245    2.00   1.84666    23.8           
2         81.173    7.64   1.72916    54.7           
3        496.078    0.15                             
4         63.271    6.75   1.77250    49.6           
5        214.252  (可変)                             
6*       388.501    1.60   1.85400    40.4           
7*        21.848    9.00                             
8        -53.092    0.90   1.90043    37.4           
9         27.505    5.52   1.85478    24.8           
10        117.377    0.15                             
11         68.760    5.33   1.85478    24.8           
12        -51.433  (可変)                             
13*       -31.762    1.00   1.76802    49.2           
14*      -128.610  (可変)                             
15(絞り)    ∞       0.70                             
16         54.994    1.20   1.85478    24.8           
17         30.381    8.90   1.90043    37.4           
18       -122.606    2.01                             
19        -51.172    1.20   1.85478    24.8           
20        -92.077  (可変)                             
21         35.131    2.77   1.59522    67.7           
22         41.293    0.15                             
23         24.760   10.52   1.59522    67.7           
24       -315.353    0.15                             
25*        44.974    1.40   1.88202    37.2           
26         15.251    7.77   1.49700    81.5           
27         44.641    2.65                             
28        158.589    2.13   1.80809    22.8           
29       -156.512    1.20   1.88202    37.2           
30*        53.516    1.45                             
31         35.402    6.26   1.49700    81.5           
32        -70.082    0.15                             
33         72.246    1.00   1.91082    35.3           
34         23.971    9.73   1.48749    70.2           
35       -257.433    4.17                             
36        -26.443    1.00   1.49700    81.5           
37         71.744    0.15                             
38         62.503    5.34   2.00069    25.5           
39       -278.940  (可変)                             
像面        ∞   
【００９４】
非球面データ
第6面
K = 0.00000e+000  A 4= 6.38437e-006  A 6=-6.54767e-009  A 8= 5.03273e-012  A10= 4.72601e-015  A12=-1.28436e-017  
第7面
K = 0.00000e+000  A 4= 3.33989e-006  A 6= 1.62249e-008  A 8=-5.46944e-011  A10= 3.67869e-013  
第13面
K = 0.00000e+000  A 4=-4.74432e-007  A 6= 1.28336e-008  A 8= 1.01212e-010  A10=-1.86389e-013  
第14面
K = 0.00000e+000  A 4=-1.33263e-006  A 6= 1.40722e-008  A 8= 2.39598e-011  A10=-6.79015e-014  
第25面
K = 0.00000e+000  A 4=-1.46298e-005  A 6=-1.42940e-008  A 8= 1.91882e-012  A10= 1.64438e-013  A12=-3.10187e-016  
第30面
K = 0.00000e+000  A 4=-4.85063e-007  A 6=-1.64474e-008  A 8= 1.06266e-010  A10=-2.99925e-013  
各種データ
ズーム比     3.04 
広角     中間     望遠
焦点距離      28.00    53.77    85.00  
Fナンバー      2.00     2.60     2.88  
半画角（度）  37.69    21.92    14.28  
像高          21.64    21.64    21.64  
レンズ全長   158.50   176.83   195.16  
BF            16.00    28.52    41.05  
d 5            1.21    19.87    29.83  
d12            8.23     7.03     9.25  
d14           15.10     7.21     2.01  
d20            5.93     2.16     1.00  
d39           16.00    28.52    41.05  
レンズ群データ
群  始面    焦点距離  
1    1      98.71  
2    6     -39.68  
3   13     -55.17  
4   15      57.94  
5   21      54.77  
【００９５】
【表１】
2019049645.tif 000004
【符号の説明】
【００９６】
Ｌ１  ズームレンズ    Ｌ１  第１レンズ群    Ｌ２  第２レンズ群
Ｌ３  第３レンズ群    Ｌ４  第４レンズ群    Ｌ５  第５レンズ群
Ｌ６  第６レンズ群    Ｌ７  第７レンズ群    ＬＲ  後群
【図１】
2019049645.tif 000005
【図２】
2019049645.tif 000006
【図３】
2019049645.tif 000007
【図４】
2019049645.tif 000008
【図５】
2019049645.tif 000009
【図６】
2019049645.tif 000010
【図７】
2019049645.tif 000011
【図８】
2019049645.tif 000012
【図９】
2019049645.tif 000013
【図１０】
2019049645.tif 000014
【図１１】
2019049645.tif 000015